(57)【要約】【課題】危険を伴うことなく、受光面に堆積した雪または粉塵を容易に除去できる太陽電池パネルの設置方法および太陽電池パネルを提供する。【解決手段】太陽電池パネルの設置方法は、太陽電池パネル１６の受光面２２を太陽に向くように傾斜させて設置する設置工程と、設置工程の前または後に、太陽電池パネル１６の受光面２２に対して超音波振動を生成する超音波振動子４を配設する超音波振動子配設工程とを少なくとも含み、太陽電池パネル１６の受光面２２に堆積した雪または粉塵を超音波振動によって除去する。太陽電池パネル３０は、太陽電池パネル３０の受光面３８に対して超音波振動を生成する超音波振動子３４を備える。【選択図】図１
2019056244.tif 000002
【特許請求の範囲】
【請求項１】
太陽電池パネルの設置方法であって、
太陽電池パネルの受光面を太陽に向くように傾斜させて設置する設置工程と、
該設置工程の前または後に、太陽電池パネルの受光面に対して超音波振動を生成する超音波振動子を配設する超音波振動子配設工程と、
を少なくとも含み、
太陽電池パネルの受光面に堆積した雪または粉塵を超音波振動によって除去する太陽電池パネルの設置方法。
【請求項２】
太陽電池パネルであって、
太陽電池パネルの受光面に対して超音波振動を生成する超音波振動子を備えた太陽電池パネル。
【発明の詳細な説明】
【技術分野】
【０００１】
本発明は、太陽電池パネルの設置方法および太陽電池パネルに関する。
【背景技術】
【０００２】
太陽電池パネルを屋根に設置して電力を自給する家屋が増えている（たとえば特許文献１参照。）。
【先行技術文献】
【特許文献】
【０００３】
【特許文献１】特開２００５−２４０３８７号公報
【発明の概要】
【発明が解決しようとする課題】
【０００４】
しかし、太陽電池パネルの受光面に雪または粉塵が堆積すると受光量が低下し充分な電力を得られないという問題がある。また、定期的に屋根に上り太陽電池パネルの受光面から雪または粉塵を除去することで受光量の低下を防止できるが、危険を伴うと共に煩わしいという問題がある。
【０００５】
上記事実に鑑みてなされた本発明の課題は、危険を伴うことなく、受光面に堆積した雪または粉塵を容易に除去できる太陽電池パネルの設置方法および太陽電池パネルを提供することである。
【課題を解決するための手段】
【０００６】
上記課題を解決するために本発明の第一の局面が提供するのは以下の太陽電池パネルの設置方法である。すなわち、太陽電池パネルの設置方法であって、太陽電池パネルの受光面を太陽に向くように傾斜させて設置する設置工程と、該設置工程の前または後に、太陽電池パネルの受光面に対して超音波振動を生成する超音波振動子を配設する超音波振動子配設工程と、を少なくとも含み、太陽電池パネルの受光面に堆積した雪または粉塵を超音波振動によって除去する太陽電池パネルの設置方法である。
【０００７】
本発明の第二の局面が提供するのは、太陽電池パネルの受光面に対して超音波振動を生成する超音波振動子を備えた太陽電池パネルである。
【発明の効果】
【０００８】
本発明が提供する太陽電池パネルの設置方法および太陽電池パネルにおいては、定期的に、または任意に超音波振動を受光面に生成することによって、危険を伴うことなく、受光面に堆積した雪または粉塵を容易に除去でき、したがって受光量を維持できる。
【図面の簡単な説明】
【０００９】
【図１】太陽電池パネルを設置している状態を示す斜視図。
【図２】（ａ）本発明に従って構成された太陽電池パネルの分解斜視図、（ｂ）本発明に従って構成された太陽電池パネルの斜視図。
【発明を実施するための形態】
【００１０】
まず、本発明に係る太陽電池パネルの設置方法について図１を参照しつつ説明する。
【００１１】
図示の実施形態では、まず、太陽電池パネルの受光面に対して超音波振動を生成する超音波振動子を配設する超音波振動子配設工程を実施する。図示の実施形態における超音波振動子配設工程では、太陽電池パネルを設置するための設置フレーム２の上面に超音波振動子４を配設する。ここで設置フレーム２について説明すると、設置フレーム２は、間隔をおいて配置された４個の基板６と、各基板６の上面から上方に延びる４本の支柱８と、各支柱８の上端部に固定された長方形状の設置板１０とを備える。各基板６には、地面等の設置面に基板６を固定するアンカーボルト（図示していない。）を通すための複数のボルト穴６ａが形成されている。図１を参照することによって理解されるとおり、４本の支柱８のうち、図１において紙面手前側の２本の支柱８（８ａ）は、図１において紙面奥側の２本の支柱８（８ｂ）よりも短く形成されており、設置板１０は設置面に対して傾斜している。設置板１０の周縁には、上方に延びる側壁１２が形成されている。また、設置板１０には、設置板１０の短手方向に延びる複数の長方形状開口１４が形成されている。そして、図示の実施形態における超音波振動子配設工程では、図１に示すとおり、圧電セラミックス等から形成され得る円形状の超音波振動子４を設置板１０の上面に間隔をおいて複数配設する。各超音波振動子４には、超音波振動子４の作動を制御する制御手段（図示していない。）と、超音波振動子４及び制御手段に電力を供給する電源（図示していない。）とが接続されている。コンピュータから構成される制御手段は、制御プログラムに従って演算処理する中央処理装置（ＣＰＵ）と、制御プログラム等を格納するリードオンリメモリ（ＲＯＭ）と、演算結果等を格納する読み書き可能なランダムアクセスメモリ（ＲＡＭ）とを有する。
【００１２】
超音波振動子配設工程を実施した後、太陽電池パネルの受光面を太陽に向くように傾斜させて設置する設置工程を実施する。図示の実施形態における設置工程では、まず、設置板１０の上面が太陽に向くように設置フレーム２の向きを調整した上で、アンカーボルトによって設置フレーム２を設置面に固定する。次いで、設置板１０の上面に太陽電池パネル１６を載置して固定する。図１に示す太陽電池パネル１６は、設置板１０のサイズに対応するサイズを有する長方形状のパネル１８と、パネル１８の上面に装着された太陽電池２０とを備える。太陽電池２０を上に向けて設置板１０の上面に太陽電池パネル１６を固定することによって、太陽電池パネル１６の受光面２２を太陽に向くように傾斜させて設置することができる。
【００１３】
設置工程を実施した後は、定期的に、または任意に超音波振動子４によって太陽電池パネル１６の受光面２２に対して超音波振動を生成する。たとえば、超音波振動子４を定期的に作動させるための制御プログラムを制御手段のリードオンリメモリに格納しておき、受光面２２に対して超音波振動を定期的に生成することができる。あるいは、超音波振動子４の作動指令が制御手段に入力された時に超音波振動子４を作動させ、受光面２２に対して超音波振動を任意に生成してもよい。そして、受光面２２に対して超音波振動を生成することによって、危険を伴うことなく、受光面２２に堆積した雪または粉塵を容易に除去でき、したがって太陽電池パネル１６への受光量を維持できる。図示の実施形態では、太陽電池パネル１６の受光面２２が傾斜しているので、受光面２２に対して超音波振動を生成することによって受光面２２に堆積した雪を効率良く流下させることができる。また、受光面２２に粉塵が付着しても、降雨時に超音波振動子４の作動指令を制御手段に入力して受光面２２に対して超音波振動を生成することにより、超音波振動と雨水とで受光面２２から粉塵を除去することができる。
【００１４】
なお、図示の実施形態では、超音波振動子配設工程を実施した後に設置工程を実施する例を説明したが、設置工程を実施した後に超音波振動子配設工程を実施してもよい。たとえば、超音波振動子４を配設するための貫通開口が形成されている設置板を備える設置フレームを用いることによって、設置板の上面に太陽電池パネル１６を設置して設置工程を実施した後に、設置板の貫通開口に超音波振動子４を装着させて超音波振動子配設工程を実施することができる。また、図示の実施形態では、設置フレーム２の設置板１０が設置面に対して傾斜している例を説明したが、水平面に対して傾斜している設置面（たとえば建物の屋根等）に設置フレーム２を固定する場合には、設置フレーム２の設置板１０が設置面に対して傾斜していなくてもよく、すなわち４本の支柱８の長さが全て同じ長さであってもよい。
【００１５】
次に、本発明に従って構成された太陽電池パネルについて図２（ａ）及び図２（ｂ）を参照しつつ説明する。
【００１６】
図２（ａ）及び図２（ｂ）に示す太陽電池パネル３０は、長方形状のパネル３２と、パネル３２の上面に間隔をおいて配設された複数の円形状の超音波振動子３４と、複数の超音波振動子３４が配設されたパネル３２の上面に装着される太陽電池３６とを備える。太陽電池パネル３０の受光面３８に対して超音波振動を生成する超音波振動子３４は、圧電セラミックス等から形成され得る。各超音波振動子３４には、超音波振動子３４の作動を制御する制御手段（図示していない。）と、超音波振動子３４及び制御手段に電力を供給する電源（図示していない。）とが接続されている。
【００１７】
太陽電池パネル３０を設置する際は、太陽電池パネル３０の受光面３８を太陽に向くように傾斜させて設置するのが好適である。そして、定期的に、または任意に超音波振動子３４によって太陽電池パネル３０の受光面３８に対して超音波振動を生成する。たとえば、超音波振動子３４を定期的に作動させるための制御プログラムを制御手段に格納しておき、受光面３８に対して超音波振動を定期的に生成することができる。あるいは、超音波振動子３４の作動指令が制御手段に入力された時に超音波振動子３４を作動させ、受光面３８に対して超音波振動を任意に生成してもよい。そして、受光面３８に対して超音波振動を生成することによって、危険を伴うことなく、受光面３８に堆積した雪または粉塵を容易に除去でき、したがって太陽電池パネル３０への受光量を維持できる。受光面３８を傾斜させて太陽電池パネル３０を設置した場合は、受光面３８に対して超音波振動を生成することによって受光面３８に堆積した雪を効率良く流下させることができる。また、受光面３８に粉塵が付着しても、降雨時に超音波振動子３４の作動指令を制御手段に入力して受光面３８に対して超音波振動を生成することにより、超音波振動と雨水とで受光面３８から粉塵を除去することができる。
【符号の説明】
【００１８】
４、３４：超音波振動子
１６、３０：太陽電池パネル
２２、３８：受光面
【図１】
2019056244.tif 000003
【図２】
2019056244.tif 000004